(57)【要約】本発明の実施例はユーザ機器コンテキストの識別方法、ユーザ機器及び基地局を提供する。識別方法は、第１の基地局が、接続に失敗したユーザ機器によりネットワーク側に送信された、ユーザ機器の第１の端末識別子を取得するステップと、第１の端末識別子に基づいて、ユーザ機器のコンテキストから第２の基地局に対応する第２の端末識別子を検索するステップと、第２の基地局に第２の端末識別子に基づいてユーザ機器のコンテキストを検索させるように、第２の基地局に第２の端末識別子を含むハンドオーバ報告を送信するステップとを含む。本発明の実施例によれば、基地局がユーザ機器のコンテキストを識別できることを確保できる。【選択図】図１
2015523824.tif 000002
【特許請求の範囲】
【請求項１】
第２の基地局から第１の基地局へハンドオーバを行うユーザ機器のコンテキストの識別方法であって、
前記第１の基地局は、接続に失敗した前記ユーザ機器によりネットワーク側に送信された、前記ユーザ機器の第１の端末識別子を取得するステップと、
前記第１の基地局は、前記第１の端末識別子に基づいて、前記ユーザ機器のコンテキストから前記第２の基地局に対応する第２の端末識別子を検索するステップと、
前記第１の基地局は、前記第２の基地局に前記第２の端末識別子に基づいて前記ユーザ機器のコンテキストを検索させるように、前記第２の基地局に前記第２の端末識別子を含むハンドオーバ報告を送信するステップと、を含む、ユーザ機器コンテキストの識別方法。
【請求項２】
前記第１の基地局は、前記ユーザ機器により送信された無線リンク障害（RLF：Radio Link Failure）報告を受信することで前記ユーザ機器の第１の端末識別子を取得する、或いはネットワーク側の他の基地局により送信されたメッセージから前記ユーザ機器の第１の端末識別子を取得する、請求項１に記載のユーザ機器コンテキストの識別方法。
【請求項３】
前記第１の端末識別子又は前記第２の端末識別子は、セル無線ネットワーク一時識別子（C-RNTI）及び／又は短い媒体アクセス制御識別子（shortMAC-I）である、請求項１に記載のユーザ機器コンテキストの識別方法。
【請求項４】
第２の基地局から第１の基地局へハンドオーバを行うユーザ機器のコンテキストの識別方法であって、
前記第２の基地局は、ハンドオーバ要求承認（Handover Request Acknowledge）メッセージを読み取って、前記第１の基地局に対応する第１の端末識別子を取得するステップと、
前記第２の基地局は、前記第１の端末識別子を含むハンドオーバ報告を受信した場合、前記第１の端末識別子に基づいて前記ユーザ機器のコンテキストを検索するステップと、を含む、ユーザ機器コンテキストの識別方法。
【請求項５】
前記第１の端末識別子は、セル無線ネットワーク一時識別子（C-RNTI）及び／又は短い媒体アクセス制御識別子（shortMAC-I）である、請求項４に記載のユーザ機器コンテキストの識別方法。
【請求項６】
ユーザ機器のコンテキストの識別方法であって、
前記ユーザ機器は、前記ユーザ機器がハンドオーバコマンド（Handover Command）を受信した後で生成された第２の端末識別子を記憶するステップと、
前記ユーザ機器は、無線リンク障害（RLF：Radio Link Failure）報告を受信した基地局に前記ユーザ機器のコンテキストを検索させるように、前記無線リンク障害報告を送信するステップと、を含む、ユーザ機器コンテキストの識別方法。
【請求項７】
前記無線リンク障害報告は、第２の端末識別子を含み、
前記ユーザ機器は、前記無線リンク障害報告を受信した基地局に前記第２の端末識別子に基づいて前記ユーザ機器のコンテキストを検索させる、請求項６に記載のユーザ機器コンテキストの識別方法。
【請求項８】
前記ユーザ機器は、タイマを有し、
前記ユーザ機器コンテキストの識別方法は、
接続失敗が発生した場合、前記タイマが所定の時間を超過するか否かを判断するステップと、
前記ユーザ機器は、前記タイマが所定の時間を超過していない場合、前記基地局に前記第２の端末識別子に基づいて前記ユーザ機器のコンテキストを検索させるように、前記第２の端末識別子を含む無線リンク障害報告を送信するステップと、さらに含む、請求項６に記載のユーザ機器コンテキストの識別方法。
【請求項９】
前記ユーザ機器は、前記タイマが所定の時間を超過している場合、前記基地局に第１の端末識別子に基づいて前記ユーザ機器のコンテキストを検索させるように、前記第１の端末識別子を含む無線リンク障害報告を送信するステップ、をさらに含み、
前記第１の端末識別子は、前記ユーザ機器の無線リンク障害が発生した時に生成される、或いは無線リンク障害が発生した後で無線リソース制御（RRC：Radio Resource Control）接続再確立（connection re-establishment）を行う時に生成される、請求項８に記載のユーザ機器コンテキストの識別方法。
【請求項１０】
前記タイマの所定時間は、ネットワーク側で設定されたもの、前記ユーザ機器により設定されたもの、又は標準に応じて予め設定されたものである、請求項８又は９に記載のユーザ機器コンテキストの識別方法。
【請求項１１】
前記第１の端末識別子又は前記第２の端末識別子は、セル無線ネットワーク一時識別子（C-RNTI）及び／又は短い媒体アクセス制御識別子（shortMAC-I）である、請求項９に記載のユーザ機器コンテキストの識別方法。
【請求項１２】
ユーザ機器に第２の基地局からハンドオーバさせる基地局であって、
接続に失敗した前記ユーザ機器によりネットワーク側に送信された、前記ユーザ機器の第１の端末識別子を取得する識別子取得手段と、
前記第１の端末識別子に基づいて、前記ユーザ機器のコンテキストから前記第２の基地局に対応する第２の端末識別子を検索する識別子検索手段と、
前記第２の基地局に前記第２の端末識別子に基づいて前記ユーザ機器のコンテキストを検索させるように、前記第２の基地局に前記第２の端末識別子を含むハンドオーバ報告を送信する報告送信手段と、を含む、基地局。
【請求項１３】
前記識別子取得手段は、前記ユーザ機器により送信された無線リンク障害（RLF：Radio Link Failure）報告を受信することで前記ユーザ機器の第１の端末識別子を取得する、或いはネットワーク側の他の基地局により送信されたメッセージから前記ユーザ機器の第１の端末識別子を取得する、請求項１２に記載の基地局。
【請求項１４】
前記第１の端末識別子又は前記第２の端末識別子は、セル無線ネットワーク一時識別子（C-RNTI）及び／又は短い媒体アクセス制御識別子（shortMAC-I）である、請求項１２に記載の基地局。
【請求項１５】
ユーザ機器に第１の基地局へハンドオーバさせる基地局であって、
ハンドオーバ要求承認（Handover Request Acknowledge）メッセージを読み取って、前記第１の基地局に対応する第１の端末識別子を取得するメッセージ読取手段と、
前記第１の端末識別子を含むハンドオーバ報告を受信した場合、前記第１の端末識別子に基づいて前記ユーザ機器のコンテキストを検索するコンテキスト検索手段と、を含む、基地局。
【請求項１６】
前記第１の端末識別子は、セル無線ネットワーク一時識別子（C-RNTI）及び／又は短い媒体アクセス制御識別子（shortMAC-I）である、請求項１５に記載の基地局。
【請求項１７】
ユーザ機器であって、
ハンドオーバコマンド（Handover Command）を受信した後で生成された第２の端末識別子を記憶する識別子記憶手段と、
無線リンク障害（RLF：Radio Link Failure）報告を受信した基地局に前記ユーザ機器のコンテキストを検索させるように、前記無線リンク障害報告を送信する情報送信手段と、を含む、ユーザ機器。
【請求項１８】
前記情報送信手段は、無線リンク障害報告を受信した基地局に前記第２の端末識別子に基づいて前記ユーザ機器のコンテキストを検索させるように、前記第２の端末識別子を含む無線リンク障害報告を送信する、請求項１７に記載のユーザ機器。
【請求項１９】
前記ユーザ機器のタイマを起動するタイマ起動手段と、
接続失敗が発生した場合、前記タイマが所定の時間を超過するか否かを判断する時間超過判断手段と、をさらに含み、
前記情報送信手段は、前記タイマが所定の時間を超過していない場合、前記基地局に前記第２の端末識別子に基づいて前記ユーザ機器のコンテキストを検索させるように、前記第２の端末識別子を含む無線リンク障害報告を送信する、請求項１７に記載のユーザ機器。
【請求項２０】
前記情報送信手段は、前記タイマが所定の時間を超過している場合、前記基地局に第１の端末識別子に基づいて前記ユーザ機器のコンテキストを検索させるように、前記第１の端末識別子を含む無線リンク障害報告を送信し、
前記第１の端末識別子は、前記ユーザ機器の無線リンク障害が発生した時に生成される、或いは無線リンク障害が発生した後で無線リソース制御（RRC：Radio Resource Control）接続再確立（connection re-establishment）を行う時に生成される、請求項１９に記載のユーザ機器。
【請求項２１】
前記タイマの所定時間は、ネットワーク側で設定されたもの、前記ユーザ機器により設定されたもの、又は標準に応じて予め設定されたものである、請求項１９又は２０に記載のユーザ機器。
【請求項２２】
前記第１の端末識別子又は前記第２の端末識別子は、セル無線ネットワーク一時識別子（C-RNTI）及び／又は短い媒体アクセス制御識別子（shortMAC-I）である、請求項２０に記載のユーザ機器。
【請求項２３】
請求項１２乃至１４のいずれかに記載の基地局、請求項１５又は１６に記載の基地局、又は請求項１７乃至２２のいずれかに記載のユーザ機器を含む、通信システム。
【請求項２４】
基地局においてプログラムを実行する際に、コンピュータに、請求項１乃至５のいずれかに記載のユーザ機器コンテキストの識別方法を前記基地局において実行させる、コンピュータ読み取り可能なプログラム。
【請求項２５】
コンピュータに、請求項１乃至５のいずれかに記載のユーザ機器コンテキストの識別方法を基地局において実行させるためのコンピュータ読み取り可能なプログラムを記録する、記録媒体。
【請求項２６】
ユーザ機器においてプログラムを実行する際に、コンピュータに、請求項６乃至１１のいずれかに記載のユーザ機器コンテキストの識別方法を前記ユーザ機器において実行させる、コンピュータ読み取り可能なプログラム。
【請求項２７】
コンピュータに、請求項６乃至１１のいずれかに記載のユーザ機器コンテキストの識別方法をユーザ機器において実行させるためのコンピュータ読み取り可能なプログラムを記録する、記録媒体。
【発明の詳細な説明】
【技術分野】
【０００１】
本発明は、通信分野に関し、特にユーザ機器コンテキストの識別方法、ユーザ機器及び基地局に関する。
【背景技術】
【０００２】
ＬＴＥ−Ａシステムでは、基地局に移動性能の最適化を行わせるために、自己最適化の機能が定義されている。この最適化の精度をさらに確保するために、現在、基地局がユーザ機器の移動性能を最適化する際にユーザ機器のコンテキストを識別できることは、３ＧＰＰで検討されている。このため、現在、ユーザ機器は、例えば無線リンク障害（RLF：Radio Link Failure）報告などのメッセージにおいてユーザ機器の端末識別情報を持っており、基地局にこの情報に基づいてユーザ機器のコンテキストを取得させる。
【０００３】
しかし、従来の方式では、ユーザ機器がＲＬＦ報告において持つのは常に最後のサービングセル内の識別情報であるため、基地局がユーザ機器のコンテキストを認識できない場合がある。
【０００４】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００５】
本発明の実施例は、基地局の動作又はユーザ機器の動作を強化して、基地局が常にユーザ機器のコンテキストを識別できることを確保できるユーザ機器コンテキストの識別方法、ユーザ機器及び基地局を提供することを目的とする。
【課題を解決するための手段】
【０００６】
本発明の実施例の一の態様では、第２の基地局から第１の基地局へハンドオーバを行うユーザ機器のコンテキストの識別方法であって、前記第１の基地局は、接続に失敗した前記ユーザ機器によりネットワーク側に送信された、前記ユーザ機器の第１の端末識別子を取得するステップと、前記第１の基地局は、前記第１の端末識別子に基づいて、前記ユーザ機器のコンテキストから前記第２の基地局に対応する第２の端末識別子を検索するステップと、前記第１の基地局は、前記第２の基地局に前記第２の端末識別子に基づいて前記ユーザ機器のコンテキストを検索させるように、前記第２の基地局に前記第２の端末識別子を含むハンドオーバ報告を送信するステップと、を含む、ユーザ機器コンテキストの識別方法を提供する。
【０００７】
本発明の実施例の他の態様では、第２の基地局から第１の基地局へハンドオーバを行うユーザ機器のコンテキストの識別方法であって、前記第２の基地局は、ハンドオーバ要求承認（Handover Request Acknowledge）メッセージを読み取って、前記第１の基地局に対応する第１の端末識別子を取得するステップと、前記第２の基地局は、前記第１の端末識別子を含むハンドオーバ報告を受信した場合、前記第１の端末識別子に基づいて前記ユーザ機器のコンテキストを検索するステップと、を含む、ユーザ機器コンテキストの識別方法を提供する。
【０００８】
本発明の実施例の他の態様では、ユーザ機器のコンテキストの識別方法であって、前記ユーザ機器は、前記ユーザ機器がハンドオーバコマンド（Handover Command）を受信した後で生成された第２の端末識別子を記憶するステップと、前記ユーザ機器は、無線リンク障害（RLF：Radio Link Failure）報告を受信した基地局に前記ユーザ機器のコンテキストを検索させるように、前記無線リンク障害報告を送信するステップと、を含む、ユーザ機器コンテキストの識別方法を提供する。
【０００９】
本発明の実施例の他の態様では、ユーザ機器に第２の基地局からハンドオーバさせる基地局であって、接続に失敗した前記ユーザ機器によりネットワーク側に送信された、前記ユーザ機器の第１の端末識別子を取得する識別子取得手段と、前記第１の端末識別子に基づいて、前記ユーザ機器のコンテキストから前記第２の基地局に対応する第２の端末識別子を検索する識別子検索手段と、前記第２の基地局に前記第２の端末識別子に基づいて前記ユーザ機器のコンテキストを検索させるように、前記第２の基地局に前記第２の端末識別子を含むハンドオーバ報告を送信する報告送信手段と、を含む、基地局を提供する。
【００１０】
本発明の実施例の他の態様では、ユーザ機器に第１の基地局へハンドオーバさせる基地局であって、ハンドオーバ要求承認（Handover Request Acknowledge）メッセージを読み取って、前記第１の基地局に対応する第１の端末識別子を取得するメッセージ読取手段と、前記第１の端末識別子を含むハンドオーバ報告を受信した場合、前記第１の端末識別子に基づいて前記ユーザ機器のコンテキストを検索するコンテキスト検索手段と、を含む、基地局を提供する。
【００１１】
本発明の実施例の他の態様では、ユーザ機器であって、ハンドオーバコマンド（Handover Command）を受信した後で生成された第２の端末識別子を記憶する識別子記憶手段と、無線リンク障害（RLF：Radio Link Failure）報告を受信した基地局に前記ユーザ機器のコンテキストを検索させるように、前記無線リンク障害報告を送信する情報送信手段と、を含む、ユーザ機器を提供する。
【００１２】
本発明の実施例の他の態様では、上記の基地局又は上記のユーザ機器を含む、通信システムを提供する。
【００１３】
本発明の実施例の他の態様では、基地局においてプログラムを実行する際に、コンピュータに、上記のユーザ機器コンテキストの識別方法を前記基地局において実行させる、コンピュータ読み取り可能なプログラムを提供する。
【００１４】
本発明の実施例の他の態様では、コンピュータに、上記のユーザ機器コンテキストの識別方法を基地局において実行させるためのコンピュータ読み取り可能なプログラムを記録する、記録媒体を提供する。
【００１５】
本発明の実施例の他の態様では、ユーザ機器においてプログラムを実行する際に、コンピュータに、上記のユーザ機器コンテキストの識別方法を前記ユーザ機器において実行させる、コンピュータ読み取り可能なプログラムを提供する。
【００１６】
本発明の実施例の他の態様では、コンピュータに、上記のユーザ機器コンテキストの識別方法をユーザ機器において実行させるためのコンピュータ読み取り可能なプログラムを記録する、記録媒体を提供する。
【００１７】
本発明の実施例の有益な効果としては、基地局側の動作又はユーザ機器側の動作を強化することで、基地局がユーザ機器のコンテキストを識別できることを確保できる。
【００１８】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１９】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２０】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００２１】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。
【００２２】
本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】本発明の実施例１に係る識別方法のフローチャートである。
【図２】本発明の実施例２に係る識別方法のフローチャートである。
【図３】本発明の実施例３に係る識別方法のフローチャートである。
【図４】本発明の実施例３に係る識別方法の他のフローチャートである。
【図５】本発明の実施例３に係る識別方法の他のフローチャートである。
【図６】本発明の実施例４に係る基地局の構成を示す図である。
【図７】本発明の実施例５に係る基地局の構成を示す図である。
【図８】本発明の実施例６に係るユーザ機器の構成を示す図である。
【図９】本発明の実施例７に係るユーザ機器の他の構成を示す図である。
【発明を実施するための形態】
【００２３】
図面を参照しながら、本発明の上記及び他の特徴を説明する。下記の説明及び図面に示すように、本発明の特定の実施形態が詳細に開示され、本発明の原理を採用できる実施形態の一部が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２４】
＜実施例１＞
本発明の実施例は、ユーザ機器コンテキストの識別方法を提供し、該ユーザ機器は第２の基地局から第１の基地局へハンドオーバを行い、本実施例は第１の基地局側に適用する。
【００２５】
図１は、本発明の実施例１に係る識別方法のフローチャートである。図１に示すように、該識別方法は以下のステップを含む。
【００２６】
ステップ１０１：第１の基地局は、ユーザ機器の第１の端末識別子（識別情報）を取得する。該第１の端末識別子は、接続に失敗した前記ユーザ機器によりネットワーク側に送信される。
【００２７】
ステップ１０２：第１の基地局は、第１の端末識別子に基づいて、該ユーザ機器のコンテキストから第２の基地局に対応する第２の端末識別子を検索する。
【００２８】
ステップ１０３：第１の基地局は、第２の基地局に第２の端末識別子に基づいて該ユーザ機器のコンテキストを検索させるように、第２の基地局に第２の端末識別子を含むハンドオーバ報告を送信する。
【００２９】
本実施例では、第１の基地局は、ハンドオーバのターゲット基地局であり、ハンドオーバ報告（Handover Report。具体的な内容は［TS36.423］を参照してもよい）の送信側であってもよい。第２の基地局は、ハンドオーバのソース基地局であり、ハンドオーバ報告の受信側である。ユーザ機器は、第２の基地局から第１の基地局へハンドオーバし、例えば無線リンク障害（RLF）又はハンドオーバ失敗（HOF：Handover
Failure）などの接続失敗が生じた。
【００３０】
本実施例では、例えばハンドオーバ報告の種類がハンドオーバ早すぎ（too early）若しくは間違ったセルへのハンドオーバである、接続失敗の種類が無線リンク障害である、又は接続失敗後の無線リソース制御（RRC：Radio Resource Control）接続再確立（connection re-establishment）が成功していない場合は、ステップ１０２及びステップ１０３を実行してもよい。なお、本発明はこれに限定されず、実際の状況に応じて実行条件を決定してもよい。
【００３１】
本実施例では、ユーザ機器は、接続失敗が発生した後で、ネットワーク側に第１の端末識別子を送信してもよく、例えばＲＬＦ報告を送信する際にＵＥ＿ｉｄｅｎｔｉｔｙ＿１情報を持ってもよい。ここで、第１の端末識別子は、セル無線ネットワーク一時識別子（C-RNTI）、短い媒体アクセス制御識別子（shortMAC-I）（具体的な内容は［TS36.331］を参照してもよい）、又はＣ−ＲＮＴＩ及びｓｈｏｒｔＭＡＣ−Ｉであってもよい。なお、本発明はこれに限定されず、実際の状況に応じて具体的な情報を決定してもよい。
【００３２】
本実施例では、第１の基地局は、ユーザ機器の第１の端末識別子を取得してもよい。ユーザ機器により送信された無線リンク障害（RLF：Radio Link Failure）報告を直接に受信することで該ユーザ機器の第１の端末識別子を取得してもよいし、ネットワーク側の他の基地局により送信されたメッセージから該ユーザ機器の第１の端末識別子を取得してもよい。
【００３３】
本実施例では、第１の基地局は、該第１の端末識別子を取得した後で、該第１の端末識別子が自分で該ユーザ機器に割り当てられたＣ−ＲＮＴＩ−１であるか否か、又は該第１の基地局に対応するｓｈｏｒｔＭＡＣ−Ｉ＿１であるか否かを判断してもよい。ＹＥＳの場合は、該第１の基地局は第１の端末識別子に基づいて該ユーザ機器のコンテキストにおいて検索し、第２の基地局に対応する第２の端末識別子を検索してもよい。
【００３４】
ここで、第２の端末識別子は、セル無線ネットワーク一時識別子（C-RNTI）、短い媒体アクセス制御識別子（shortMAC-I）、又はＣ−ＲＮＴＩ及びｓｈｏｒｔＭＡＣ−Ｉであってもよい。なお、本発明はこれに限定されず、実際の状況に応じて具体的な情報を決定してもよい。
【００３５】
本実施例では、第１の基地局は、見つかった第２の端末識別子（例えば第２の基地局により該ユーザ機器に割り当てられたＣ−ＲＮＴＩ＿２、又はユーザ機器が第２の基地局から第１の基地局へハンドオーバした時に生成されたｓｈｏｒｔＭＡＣ−Ｉ＿２）をハンドオーバ報告に追加してもよい。第１の基地局は、他の基地局からＲＬＦ指示（RLF Indication。具体的な内容は［TS36.423］を参照してもよい）を受信した後で、該ハンドオーバ報告を第２の基地局に送信してもよい。
【００３６】
本実施例では、第２の基地局は、ハンドオーバ報告を受信した後で、第２の端末識別子に基づいてユーザ機器のコンテキストを検索してもよい。
【００３７】
上記の実施例から分かるように、ターゲット基地局がソース基地局に対応する端末識別子をソース基地局に送信することで、ソース基地局に、対応する端末識別子に基づいて該ユーザ機器のコンテキストを検索させることができる。
【００３８】
＜実施例２＞
本発明の実施例は、ユーザ機器コンテキストの識別方法を提供し、該ユーザ機器は第２の基地局から第１の基地局へハンドオーバを行い、本実施例は第２の基地局側に適用する。
【００３９】
図２は、本発明の実施例２に係る識別方法の他のフローチャートである。図２に示すように、該識別方法は、以下のステップを含む。
【００４０】
ステップ２０１：第２の基地局は、ハンドオーバ要求承認（Handover Request Acknowledge）メッセージを読み取って、第１の基地局に対応する第１の端末識別子を取得する。
【００４１】
ステップ２０２：第２の基地局は、第１の端末識別子を含むハンドオーバ報告を受信した場合、第１の端末識別子に基づいて該ユーザ機器のコンテキストを検索する。
【００４２】
本実施例では、第１の基地局は、ハンドオーバのターゲット基地局であり、ハンドオーバ報告の送信側であってもよい。第２の基地局は、ハンドオーバのソース基地局であり、ハンドオーバ報告の受信側である。ユーザ機器は、第２の基地局から第１の基地局へハンドオーバし、例えば無線リンク障害（RLF）又はハンドオーバ失敗（HOF）などの接続失敗が生じた。
【００４３】
本実施例では、ユーザ機器が第２の基地局から第１の基地局へハンドオーバする際に、第２の基地局は、ハンドオーバの準備プロセスにおいて、ハンドオーバ要求承認（Handover Request Acknowledge）メッセージ（具体的な内容は［TS36.423］を参照してもよい）を受信してもよい。第２の基地局は、該ハンドオーバ要求承認メッセージを読み取って、第１の基地局に対応する第１の端末識別子を取得してもよい。
【００４４】
ここで、第１の端末識別子は、セル無線ネットワーク一時識別子（C-RNTI）、短い媒体アクセス制御識別子（shortMAC-I）、又はＣ−ＲＮＴＩ及びｓｈｏｒｔＭＡＣ−Ｉであってもよい。なお、本発明はこれに限定されず、実際の状況に応じて具体的な情報を決定してもよい。
【００４５】
本実施例では、第２の基地局は、該第１の端末識別子（例えばＣ−ＲＮＴＩ＿１又はｓｈｏｒｔＭＡＣ−Ｉ＿１）を記憶して、該第１の端末識別子と該ユーザ機器とを対応付けてもよい。例えば、該第１の端末識別子と該ユーザ機器とのマッピング関係を確立してもよく、該第１の端末識別子と、該ユーザ機器の該第２の基地局に対応する第２の端末識別子（例えばＣ−ＲＮＴＩ＿２又はｓｈｏｒｔＭＡＣ−Ｉ＿２）とを対応付けてもよい。
【００４６】
本実施例では、第２の基地局は、第１の端末識別子を含むハンドオーバ報告を受信した場合、第１の端末識別子に基づいて該ユーザ機器のコンテキストを検索してもよい。
【００４７】
上記の実施例から分かるように、ソース基地局がハンドオーバ要求承認メッセージからターゲット基地局に対応する端末識別子を取得することで、ソース基地局は該ユーザ機器と、ターゲット基地局に対応する端末識別子とを対応付けることができる。これによって、ソース基地局は、ハンドオーバ報告を受信した場合、該端末識別子に基づいて該ユーザ機器のコンテキストを検索できる。
【００４８】
＜実施例３＞
本発明の実施例は、ユーザ機器コンテキストの識別方法を提供し、ユーザ機器側に適用する。
【００４９】
図３は、本発明の実施例３に係る識別方法の他のフローチャートである。図３に示すように、該識別方法は以下のステップを含む。
【００５０】
ステップ３０１：ユーザ機器は、ユーザ機器がハンドオーバコマンド（Handover Command）を受信した後で生成された第２の端末識別子を記憶する。
【００５１】
ステップ３０２：ユーザ機器は、無線リンク障害報告を受信した基地局にユーザ機器のコンテキストを検索させるように、無線リンク障害報告を送信する。
【００５２】
本実施例では、従来技術との相違点として、ユーザ機器は、ハンドオーバコマンド（Handover Command。具体的な内容は［TS36.331］を参照してもよい）を受信した後で、第２の端末識別子を生成してもよい。該第２の端末識別子は、ユーザ機器が該ハンドオーバコマンドを受信した後で、所属する基地局により該ユーザ機器に割り当てられたＣ−ＲＮＴＩであってもよいし、ユーザ機器がソースセルからターゲットセルへハンドオーバする際に生成されたｓｈｏｒｔＭＡＣ−Ｉであってもよいし、Ｃ−ＲＮＴＩ及びｓｈｏｒｔＭＡＣ−Ｉであってもよい。
【００５３】
本実施例では、ユーザ機器は、接続失敗（例えば無線リンク障害（ＲＬＦ）又はハンドオーバ失敗（ＨＯＦ））の後、無線リンク障害報告を送信してもよい。具体的な内容は従来技術を参照してもよい。
【００５４】
１つの例では、ユーザ機器は、接続失敗（例えばＲＬＦ又はＨＯＦ）が発生した後で、第２の端末識別子をＲＬＦ報告に追加し、該ＲＬＦ報告をネットワーク側に送信してもよい。該ＲＬＦ報告を受信した基地局は、該第２の端末識別子に基づいて該ユーザ機器のコンテキストを検索し、移動性能のパラメータを最適化してもよい。
【００５５】
図４は、本発明の実施例に係る識別方法の他のフローチャートである。図４に示すように、該識別方法は以下のステップを含む。
【００５６】
ステップ４０１：ユーザ機器は、ユーザ機器がハンドオーバコマンドを受信した後で生成された第２の端末識別子を記憶する。
【００５７】
ステップ４０２：ユーザ機器は、無線リンク障害報告を受信した基地局に該第２の端末識別子に基づいて該ユーザ機器のコンテキストを検索させるように、第２の端末識別子を含む無線リンク障害報告を送信する。
【００５８】
もう１つの例では、ユーザ機器はタイマを有してもよい。該タイマはハンドオーバコマンドに基づいて起動されるが、本発明はこれに限定されず、実際の状況に応じて具体的な実施態様を決定してもよい。
【００５９】
図５は、本発明の実施例に係る識別方法の他のフローチャートである。図５に示すように、該識別方法は以下のステップを含む。
【００６０】
ステップ５０１：ユーザ機器は、ユーザ機器がハンドオーバコマンドを受信した後で生成された第２の端末識別子を記憶する。
【００６１】
ステップ５０２：ユーザ機器は、接続失敗が発生した場合、タイマが所定の時間を超過するか否かを判断する。タイマが所定の時間を超過していない場合は、ステップ５０３を実行し、タイマが所定の時間を超過している場合は、ステップ５０４を実行する。
【００６２】
ここで、タイマはハンドオーバコマンドに基づいて起動されてもよく、例えばユーザ機器は、ハンドオーバが完了した後で（例えばRRCConnectionReconfigurationCompleteメッセージの送信が成功した。具体的な内容は［TS36.331］を参照してもよい）タイマを起動してもよい。タイマの所定時間は、ネットワーク側で設定されてもよいし、又はプロトコルで指定されてもよいし、ユーザ機器自身により設定されてもよい。
【００６３】
ステップ５０３：ユーザ機器は、基地局に第２の端末識別子に基づいて該ユーザ機器のコンテキストを検索させるように、第２の端末識別子を含む無線リンク障害報告を送信する。
【００６４】
ステップ５０４：ユーザ機器は、基地局に第１の端末識別子に基づいてユーザ機器のコンテキストを検索させるように、第１の端末識別子を含む無線リンク障害報告を送信する。
【００６５】
該第１の端末識別子は、ユーザ機器の無線リンク障害が発生した時に生成されてもよいし、無線リンク障害が発生した後で無線リソース制御（RRC：Radio Resource Control）接続再確立（connection re-establishment）を行う時に生成されてもよい。第１の端末識別子は、セル無線ネットワーク一時識別子（C-RNTI）及び／又は短い媒体アクセス制御識別子（shortMAC-I）であってもよい。
【００６６】
本実施例では、該第２の端末識別子はユーザ機器がハンドオーバコマンドを受信した後で生成され、第２の端末識別子が短い媒体アクセス制御識別子（shortMAC-I）である場合は、基地局が重複するＣ−ＲＮＴＩを割り当てても、該ユーザ機器のコンテキストを一義的に識別できる。
【００６７】
上記の実施例から分かるように、ユーザ機器がハンドオーバコマンドを受信した後で端末識別子を生成することで、基地局に該端末識別子に基づいてユーザ機器のコンテキストを識別させ、移動性能のパラメータを最適化させることができる。
【００６８】
＜実施例４＞
本発明の実施例は基地局を提供し、該基地局は第１の基地局であり、ユーザ機器は第２の基地局から該第１の基地局へハンドオーバする。本発明の実施例は実施例１に対応し、同様な内容について説明が省略される。
【００６９】
図６は、本発明の実施例に係る基地局の構成を示す図である。図６に示すように、該基地局６００は、識別子取得部６０１、識別子検索部６０２及び報告送信部６０３を含み、基地局６００の他の部分は従来技術を参照してもよい。
【００７０】
識別子取得部６０１は、接続に失敗したユーザ機器によりネットワーク側に送信された、ユーザ機器の第１の端末識別子を取得する。識別子検索部６０２は、第１の端末識別子に基づいて、ユーザ機器のコンテキストから第２の基地局に対応する第２の端末識別子を検索する。報告送信部６０３は、第２の基地局に第２の端末識別子に基づいてユーザ機器のコンテキストを検索させるように、第２の基地局に第２の端末識別子を含むハンドオーバ報告を送信する。
【００７１】
本実施例では、識別子取得部６０１は、ユーザ機器により送信された無線リンク障害（RLF：Radio Link Failure）報告を受信することでユーザ機器の第１の端末識別子を取得してもよいし、ネットワーク側の他の基地局により送信されたメッセージからユーザ機器の第１の端末識別子を取得してもよい。
【００７２】
本実施例では、第１の端末識別子又は第２の端末識別子は、セル無線ネットワーク一時識別子（C-RNTI）及び／又は短い媒体アクセス制御識別子（shortMAC-I）であってもよい。
【００７３】
上記の実施例から分かるように、ターゲット基地局がソース基地局に対応する端末識別子をソース基地局に送信することで、ソース基地局に、対応する端末識別子に基づいて該ユーザ機器のコンテキストを検索させることができる。
【００７４】
＜実施例５＞
本発明の実施例は基地局を提供し、該基地局は第２の基地局であり、ユーザ機器は第２の基地局から該第１の基地局へハンドオーバする。本発明の実施例は実施例２に対応し、同様な内容について説明が省略される。
【００７５】
図７は、本発明の実施例に係る基地局の構成を示す図である。図７に示すように、該基地局７００は、メッセージ読取部７０１及びコンテキスト検索部７０２を含み、基地局７００の他の部分は従来技術を参照してもよい。
【００７６】
メッセージ読取部７０１は、ハンドオーバ要求承認（Handover Request Acknowledge）メッセージを読み取って、第１の基地局に対応する第１の端末識別子を取得する。コンテキスト検索部７０２は、第１の端末識別子を含むハンドオーバ報告を受信した場合、第１の端末識別子に基づいてユーザ機器のコンテキストを検索する。
【００７７】
本実施例では、第１の端末識別子は、セル無線ネットワーク一時識別子（C-RNTI）及び／又は短い媒体アクセス制御識別子（shortMAC-I）であってもよい。
【００７８】
上記の実施例から分かるように、ソース基地局がハンドオーバ要求承認メッセージからターゲット基地局に対応する端末識別子を取得することで、ソース基地局は該ユーザ機器と、ターゲット基地局に対応する端末識別子とを対応付けることができる。これによって、ソース基地局は、ハンドオーバ報告を受信した場合、該端末識別子に基づいて該ユーザ機器のコンテキストを検索できる。
【００７９】
＜実施例６＞
本発明の実施例はユーザ機器を提供し、本発明の実施例は実施例３に対応し、同様な内容について説明が省略される。
【００８０】
図８は、本発明の実施例に係るユーザ機器の構成を示す図である。図８に示すように、該ユーザ機器８００は、識別子記憶部８０１及び情報送信部８０２を含み、ユーザ機器８００の他の部分は従来技術を参照してもよい。
【００８１】
識別子記憶部８０１は、ハンドオーバコマンド（Handover Command）を受信した後で生成された第２の端末識別子を記憶する。情報送信部８０２は、無線リンク障害（RLF：Radio Link Failure）報告を受信した基地局にユーザ機器のコンテキストを検索させるように、無線リンク障害報告を送信する。
【００８２】
１つの例では、情報送信部８０２は、無線リンク障害報告を受信した基地局に第２の端末識別子に基づいてユーザ機器のコンテキストを検索させるように、第２の端末識別子を含む無線リンク障害報告を送信する。
【００８３】
もう１つの例では、ユーザ機器はタイマを有してもよい。タイマの所定時間は、ネットワーク側で設定されてもよいし、ユーザ機器により設定されてもよいし、標準に応じて予め設定されてもよい。
【００８４】
図９は、本発明の実施例に係るユーザ機器の他の構成を示す図である。図９に示すように、該ユーザ機器９００は、識別子記憶部９０１、及び情報送信部９０２を含む。
【００８５】
図９に示すように、ユーザ機器９００は、タイマ起動部９０３、及び時間超過判断部９０４をさらに含んでもよい。タイマ起動部９０３は、タイマを起動する。時間超過判断部９０４は、接続失敗が発生した場合、タイマが所定の時間を超過するか否かを判断する。
【００８６】
情報送信部９０２は、接続が失敗し（例えばＲＬＦ又はＨＯＦ）、且つタイマが所定の時間を超過していない場合、基地局に第２の端末識別子に基づいてユーザ機器のコンテキストを検索させるように、第２の端末識別子を含む無線リンク障害報告を送信する。情報送信部９０２は、接続が失敗し（例えばＲＬＦ又はＨＯＦ）、且つタイマが所定の時間を超過している場合、基地局に第１の端末識別子に基づいてユーザ機器のコンテキストを検索させるように、第１の端末識別子を含む無線リンク障害報告を送信する。ここで、第１の端末識別子は、ユーザ機器の無線リンク障害が発生した時に生成されてもよいし、無線リンク障害が発生した後で無線リソース制御（RRC：Radio Resource Control）接続再確立（connection re-establishment）を行う時に生成されてもよい。
【００８７】
本実施例では、第１の端末識別子又は第２の端末識別子は、セル無線ネットワーク一時識別子（C-RNTI）及び／又は短い媒体アクセス制御識別子（shortMAC-I）であってもよい。
【００８８】
上記の実施例から分かるように、ユーザ機器がハンドオーバコマンドを受信した後で端末識別子を生成することで、基地局に該端末識別子に基づいてユーザ機器のコンテキストを識別させ、移動性能のパラメータを最適化させることができる。
【００８９】
本発明の実施例は、実施例４に記載されている基地局、実施例５に記載されている基地局、又は実施例６に記載されているユーザ機器を含む通信システムをさらに提供する。
【００９０】
本発明の実施例は、ユーザ機器においてプログラムを実行する際に、コンピュータに、上記の実施例３に記載されているユーザ機器コンテキストの識別方法を前記ユーザ機器において実行させる、コンピュータ読み取り可能なプログラムをさらに提供する。
【００９１】
本発明の実施例は、コンピュータに、上記の実施例３に記載されているユーザ機器コンテキストの識別方法をユーザ機器において実行させるためのコンピュータ読み取り可能なプログラムを記録する、記録媒体をさらに提供する。
【００９２】
本発明の実施例は、基地局においてプログラムを実行する際に、コンピュータに、上記の実施例１又は２に記載されているユーザ機器コンテキストの識別方法を前記基地局において実行させる、コンピュータ読み取り可能なプログラムをさらに提供する。
【００９３】
本発明の実施例は、コンピュータに、上記の実施例１又は２に記載されているユーザ機器コンテキストの識別方法を基地局において実行させるためのコンピュータ読み取り可能なプログラムを記録する、記録媒体をさらに提供する。
【００９４】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【００９５】
一つ以上の機能ブロックおよび/または添付の図面内の機能ブロックの一つ以上の組合せは、汎用プロセッサ、デジタル信号プロセッサ（DSP）、特定用途向け集積回路（ASIC）、フィールド・プログラマブル・ゲートとして実現されてもよいアレイ（FPGA）または他のプログラマブル論理デバイス、ディスクリートゲートまたはトランジスタ論理装置、ディスクリートハードウェアコンポーネント、またはそれらの任意の適切な組み合わせが挙げられる。これらはまた、例えば、DSPとマイクロプロセッサの組み合わせとして、コンピューティング機器の組み合わせとして通信DSPと組み合わせて、または任意の他のそのような構成における1つまたは複数のマイクロプロセッサ、複数のプロセッサを実現することができる。
【００９６】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2015523824.tif 000003
【図２】
2015523824.tif 000004
【図３】
2015523824.tif 000005
【図４】
2015523824.tif 000006
【図５】
2015523824.tif 000007
【図６】
2015523824.tif 000008
【図７】
2015523824.tif 000009
【図８】
2015523824.tif 000010
【図９】
2015523824.tif 000011
【国際調査報告】
2015523824.tif 000012
2015523824.tif 000013
2015523824.tif 000014
2015523824.tif 000015
2015523824.tif 000016
2015523824.tif 000017